(57)【特許請求の範囲】
【請求項１】
タッチパネルまたはタッチパッドの操作面に対する操作時のユーザの触感を制御する触感制御システムであって、
前記操作面に対応して表示される地物を含む地図情報を取得する地図情報取得部と、
前記地図情報取得部にて取得された前記地図情報に基づいて、前記地物に対応する前記操作面の領域が前記地物に応じた触感となるように前記操作面の前記触感を制御する触感制御部と、
を備え、
前記ユーザが地図に対して任意の方向にスクロール操作を行う場合において、
前記触感制御部は、前記スクロール操作中、スクロール方向の前記地図に予め定められた前記地物が存在するとき、前記ユーザのタッチ位置の前記触感が変化するように制御し、川を渡す現在の地図の縮尺では表示されていない道路が存在する位置に対応する前記川の一部の前記触感を、前記川の他の部分の前記触感とは異なるように制御することを特徴とする、触感制御システム。
【請求項２】
タッチパネルまたはタッチパッドの操作面に対する操作時のユーザの触感を制御する触感制御システムであって、
前記操作面に対応して表示される地物を含む地図情報を取得する地図情報取得部と、
前記地図情報取得部にて取得された前記地図情報に基づいて、前記地物に対応する前記操作面の領域が前記地物に応じた触感となるように前記操作面の前記触感を制御する触感制御部と、
を備え、
前記触感制御部は、現在の地図の縮尺では表示されていない前記地物に対応する領域に前記触感を与えるように制御し、川を渡す現在の地図の縮尺では表示されていない道路が存在する位置に対応する前記川の一部の前記触感を、前記川の他の部分の前記触感とは異なるように制御することを特徴とする、触感制御システム。
【請求項３】
前記触感制御部は、前記ユーザの現在のタッチ位置から前記予め定められた前記地物までの距離に応じて、前記ユーザのタッチ位置の触感が異なるように制御することを特徴とする、請求項１に記載の触感制御システム。
【請求項４】
前記地物が水系である場合において、
前記触感制御部は、前記水系における水の動きを模すように前記触感を制御することを特徴とする、請求項１または２に記載の触感制御システム。
【発明の詳細な説明】
【技術分野】
【０００１】
本発明は、タッチパネルまたはタッチパッドの操作面に対する操作時のユーザの触感を制御する触感制御システムに関する。
【背景技術】
【０００２】
従来、タッチパネルを備える表示装置の表示画面に対してユーザが操作を行う際に、操作に応じた触感をユーザに付与する技術がある。
【０００３】
例えば、指に超音波を照射することによって、指に触感を付与する技術が開示されている（例えば、特許文献１，２参照）。また、超音波振動によってタッチパネルの任意の領域を振動させることによって、ユーザに触感を付与する技術が開示されている（例えば、非特許文献１参照）。また、タッチパネルの任意の領域を動的（物理的に）に起伏させることによって触感を付与する技術が開示されている（例えば、特許文献３参照）。
【先行技術文献】
【特許文献】
【０００４】
【特許文献１】特開２００３−２９８９８号公報
【特許文献２】国際公開第２０１２／１０２０２６号
【特許文献３】特表２００５−５１２２４１号公報
【非特許文献】
【０００５】
【非特許文献１】”触感が得られるタッチパネルを搭載したタブレットを試作”、［online］、平成２６年２月２４日、富士通株式会社、［平成２６年５月１２日］、インターネット〈URL : http://pr.fujitsu.com/jp/news/2014/02/24.html?nw=pr〉
【発明の概要】
【発明が解決しようとする課題】
【０００６】
ユーザは、特許文献１〜３および非特許文献１の技術を用いれば、操作を行う際に、表示画面に視線を集中させることなく触感を頼りに操作することが可能であると考えられる。しかし、特許文献１〜３および非特許文献１では、具体的な使用について何ら開示されておらず、使い勝手の良いユーザインタフェースを提供しているとはいえなかった。
【０００７】
本発明は、このような問題を解決するためになされたものであり、ユーザが操作時に表示画面に視線を集中させることなく使い勝手の良い操作を行うことが可能な触感制御システムを提供することを目的とする。
【課題を解決するための手段】
【０００８】
上記の課題を解決するために、本発明による触感制御システムは、タッチパネルまたはタッチパッドの操作面に対する操作時のユーザの触感を制御する触感制御システムであって、操作面に対応して表示される地物を含む地図情報を取得する地図情報取得部と、地図情報取得部にて取得された地図情報に基づいて、地物に対応する操作面の領域が地物に応じた触感となるように操作面の触感を制御する触感制御部とを備え、ユーザが地図に対して任意の方向にスクロール操作を行う場合において、触感制御部は、スクロール操作中、スクロール方向の地図に予め定められた地物が存在するとき、ユーザのタッチ位置の触感が変化するように制御し、川を渡す現在の地図の縮尺では表示されていない道路が存在する位置に対応する川の一部の触感を、川の他の部分の触感とは異なるように制御する。
【発明の効果】
【００１０】
本発明によると、触感制御システムは、タッチパネルまたはタッチパッドの操作面に対する操作時のユーザの触感を制御する触感制御システムであって、操作面に対応して表示される地物を含む地図情報を取得する地図情報取得部と、地図情報取得部にて取得された地図情報に基づいて、地物に対応する操作面の領域が地物に応じた触感となるように操作面の触感を制御する触感制御部とを備え、ユーザが地図に対して任意の方向にスクロール操作を行う場合において、触感制御部は、スクロール操作中、スクロール方向の地図に予め定められた地物が存在するとき、ユーザのタッチ位置の触感が変化するように制御し、川を渡す現在の地図の縮尺では表示されていない道路が存在する位置に対応する川の一部の触感を、川の他の部分の触感とは異なるように制御するため、ユーザが操作時に表示画面に視線を集中させることなく使い勝手の良い操作を行うことが可能となる。
【図面の簡単な説明】
【００１２】
【図１】本発明の実施の形態１による触感制御装置の構成の一例を示すブロック図である。
【図２】本発明の実施の形態１による触感を説明するための図である。
【図３】本発明の実施の形態１による触感を説明するための図である。
【図４】本発明の実施の形態１による触感を説明するための図である。
【図５】本発明の実施の形態１による触感を説明するための図である。
【図６】本発明の実施の形態１による触感を説明するための図である。
【図７】本発明の実施の形態１による触感制御装置の構成の他の一例を示すブロック図である。
【図８】本発明の実施の形態１による触感制御装置の動作の一例を示すフローチャートである。
【図９】本発明の実施の形態１による触感制御装置の動作の一例を示す図である。
【図１０】本発明の実施の形態１による触感制御装置の動作の一例を示す図である。
【図１１】本発明の実施の形態１による触感制御システムの構成の一例を示す図である。
【図１２】本発明の実施の形態２による触感制御装置の動作の一例を示す図である。
【図１３】本発明の実施の形態２による触感制御装置の動作の一例を示す図である。
【図１４】本発明の実施の形態３による触感制御装置の動作の一例を示す図である。
【図１５】本発明の実施の形態４による触感制御装置の構成の一例を示すブロック図である。
【図１６】本発明の実施の形態５による触感制御装置の動作の一例を示すフローチャートである。
【図１７】本発明の実施の形態５による触感制御装置の動作の一例を示す図である。
【図１８】本発明の実施の形態５による触感制御装置の動作の一例を示す図である。
【図１９】本発明の実施の形態５による触感制御装置の動作の一例を示す図である。
【図２０】本発明の実施の形態５による触感制御装置の動作の一例を示す図である。
【図２１】本発明の実施の形態５による触感制御装置の動作の一例を示す図である。
【図２２】本発明の実施の形態５による触感制御装置の動作の一例を示す図である。
【図２３】本発明の実施の形態５による触感制御装置の動作の一例を示す図である。
【図２４】本発明の実施の形態５による触感制御装置の動作の一例を示す図である。
【図２５】本発明の実施の形態による触感制御システムの構成の一例を示すブロック図である。
【図２６】本発明の実施の形態による触感制御システムの構成の他の一例を示すブロック図である。
【発明を実施するための形態】
【００１３】
本発明の実施の形態について、図面に基づいて以下に説明する。
【００１４】
＜実施の形態１＞
まず、本発明の実施の形態１による触感制御システムの構成について説明する。なお、本実施の形態および以下の各実施の形態においては、触感制御システムを触感制御装置単体で実現した場合について説明する。
【００１５】
図１は、本実施の形態１による触感制御装置１の構成の一例を示すブロック図である。なお、図１では、触感制御装置１を構成する必要最小限の構成要素を示している。
【００１６】
図１に示すように、触感制御装置１は、少なくとも地図情報取得部２と、触感制御部３とを備えている。
【００１７】
地図情報取得部２は、タッチパネルまたはタッチパッドの操作面に対応して表示される地物を含む地図情報を取得する。
【００１８】
触感制御部３は、地図情報取得部２にて取得された前記地図情報に基づいて、地物に対応する操作面の領域が地物に応じた触感となるように操作面の触感を制御する。なお、地物は、現実的に存在する地物と、仮想的な地物（例えば、行政区画線等）を含むものとする。
【００１９】
ここで、触感制御部３が制御する触感について、図２〜６を用いて説明する。
【００２０】
図２は、「つるつる」、「半ザラザラ」、および「ザラザラ」の３つの触感の一例を示す図である。
【００２１】
図２において、横軸は触感の強さを示しており、最も左側の一列は「つるつる」を示し、中央の二列は「半ザラザラ」を示し、最も右側の一列は「ザラザラ」を示している。また、各四角内に示す黒で表現したドットや線のパターン部分を例えば超音波振動によって振動させることによって、四角内全体の触感を表現している。すなわち、例えば各四角内における振動の強さが同じである場合において、図２の左側よりも右側の方が「ザラザラ」の触感が強くなる。具体的には、図２の１行目はドットの目が大きいほどザラザラの触感が強いことを示し、２行目は格子の間隔が狭いほどザラザラの触感が強いことを示し、３行目は線が破線から実線、かつ線が太くなるに従ってザラザラの触感が強いことを示している。なお、ザラザラの触感のパターンは、図２にこだわるものではなく、無限の組み合わせが存在する。
【００２２】
図２の例は、振動の強さが同じであってもパターンを変えることによって異なるザラザラの触感を得る方法を示したが、同一のパターンであっても振動の強さを変えると異なるザラザラの触感を得ることができる。
【００２３】
「つるつる」の触感は、例えば超音波振動を行わないことによって表現することができる。
【００２４】
「ザラザラ」の触感は、例えば予め定められた閾値以上の強さで超音波振動を行うことによって表現することができる。
【００２５】
「半ザラザラ」の触感は、例えば上記の閾値よりも小さい超音波振動を行うことによって表現することができる。
【００２６】
また、振動の強さと、図２に示すようなザラザラの触感のパターンとの両方を組み合わせることによって、ザラザラの触感の強弱を表現することができる。
【００２７】
図２では、ザラザラの触感のパターンと、振動の強度が変化しない静的なザラザラの触感の発生とについて説明したが、振動の強弱を時間的に変化させたり、ザラザラの触感のパターンを時間的に変化させたりすることによって（すなわち、振動の強弱、あるいはザラザラの触感のパターンを動的に変化させることによって）、動くザラザラの触感を表現することもできる。
【００２８】
図３〜５は、振動の強度を時間的に変化させることによって「動くザラザラ」の触感を発生させる一例を示す図である。図３〜５において、横軸は時間、縦軸は触感の強さを示している。
【００２９】
図３は、触感の強さを一定にし、かつ当該触感が一定周期で発生する場合について示している。また、図４は、触感の強さを変化させ、かつ当該触感が一定周期で発生する場合について示している。また、図５は、触感の強さを一定にし、かつ当該触感の発生の周期が変化する場合について示している。
【００３０】
図３〜５に示すように触感を変化させることによって、ユーザは例えば「ザラザラ」した領域が動いているかのような触感（すなわち、「動くザラザラ」の触感）を得ることができる。なお、図３〜５では、「ザラザラ」の触感と「つるつる」の触感とを交互に切り替えているが、「ザラザラ」の触感と「半ザラザラ」の触感とを交互に切り替えてもよく、「ザラザラ」の触感を離散的ではなく連続的に切り替えてもよく、連続的変化と離散的変化とを自由に組み合わせてもよい。
【００３１】
図６は、ザラザラの触感のパターンが時間的に変化することによって「動くザラザラ」の触感を発生させる他の一例を示す図である。図６において、縦軸は時間を示している。また、領域ａおよび領域ｂは、例えば「ザラザラ」の触感を有している。
【００３２】
図６に示すように、領域ａおよび領域ｂは、時間の経過とともに位置が移動している。このように、触感を有する領域ａおよび領域ｂを移動させることによって、ユーザは例えば「ザラザラ」した領域が動いているかのような触感（すなわち、「動くザラザラ」の触感）を得ることができる。なお、領域ａおよび領域ｂの各々は、図３〜５にいずれかに示すような触感を有していてもよい。
【００３３】
また、図６では、「ザラザラ」の触感の領域と「つるつる」の触感の領域とを時間的に移動させているが、「ザラザラ」の触感の領域と「半ザラザラ」の触感の領域とを構成して時間的に移動させてもよく、「ザラザラ」の触感が離散的または連続的に変化する領域を構成し、当該領域を時間的に移動させるようにしてもよい。図３〜６において、連続的に変化する「ザラザラ」の触感を採用した場合は、滑らかな「動くザラザラ」の触感を得ることができる。
【００３４】
次に、図１の地図情報取得部２および触感制御部３を含む触感制御装置１の他の構成について説明する。
【００３５】
図７は、触感制御装置４の構成の一例を示すブロック図である。
【００３６】
図７に示すように、触感制御装置４は、地図情報取得部２と、触感制御部３と、制御部５と、表示情報生成出力部６と、操作情報取得部７と、車両情報取得部８とを備えている。また、表示情報生成出力部６は表示器９に接続され、触感制御部３および操作情報取得部７は触感タッチパネル１０に接続され、地図情報取得部２は地図ＤＢ（database）１１に接続されている。
【００３７】
地図情報取得部２は、地図ＤＢ１１から地図情報を取得する。
【００３８】
制御部５は、触感制御装置４全体の制御を行う。図７に示す例では、制御部５は、地図情報取得部２、表示情報生成出力部６、触感制御部３、および車両情報取得部８の制御を行う。
【００３９】
表示情報生成出力部６は、制御部５の指示に従って表示情報を生成する。また、表示情報生成出力部６は、生成した表示情報を映像信号に変換して表示器９に出力する。
【００４０】
触感制御部３は、地図情報取得部２にて取得された地図情報に基づいて、地物に対応する触感タッチパネル１０の操作面の領域が地物に応じた触感となるように制御するための触感制御情報を触感タッチパネル１０に出力する。
【００４１】
操作情報取得部７は、触感タッチパネル１０から、当該触感タッチパネル１０に対するユーザの操作に関する情報を操作情報として取得する。
【００４２】
車両情報取得部８は、車内ＬＡＮ（Local Area Network）を介して、車両内に設けられた各種センサーによって検出されたセンサー情報（車速パルス情報など）、車両の制御情報、あるいはＧＰＳ（Global Positioning System）情報などを車両情報として取得する。
【００４３】
表示器９は、表示情報生成出力部６から入力された表示情報を表示画面に表示する。
【００４４】
触感タッチパネル１０は、ユーザによるタッチ操作に関する情報（タッチの有無、タッチの位置、操作内容などの情報）を操作情報として操作情報取得部７に出力する。また、触感タッチパネル１０は、触感制御部３から入力された触感制御情報に基づいて、タッチパネルの任意の位置の触感（「つるつる」、「半ザラザラ」、「ザラザラ」、「動くザラザラ」）を変化させる。
【００４５】
なお、触感タッチパネル１０は、表示器９の表示画面上に設けられており、ユーザは表示画面に対して直接的に操作する感覚で使用することができる。すなわち、表示器９の表示画面領域と触感タッチパネル１０の触感を発生させる領域とは、完全に一致していてもよい。また、表示器９の表示画面領域と触感タッチパネル１０の触感を発生させる領域とのうちのいずれか一方が他方よりも広い領域であってもよい。例えば、触感タッチパネル１０の触感を発生させる領域が表示器９の表示画面領域からはみ出すように触感タッチパネル１０を設置し、当該はみ出した領域では表示しないがタッチ操作の入力が可能な領域として活用してもよい。
【００４６】
地図ＤＢ１１は、地物を含む地図情報を記憶している。なお、地図ＤＢ１１は、車両に備えられてもよく、外部に設けられてもよい。
【００４７】
次に、触感制御装置４の動作について説明する。
【００４８】
図８は、触感制御装置４の動作の一例を示すフローチャートである。
【００４９】
ステップＳ１１において、地図情報取得部２は、地図ＤＢ１１から地図情報を取得する。
【００５０】
ステップＳ１２において、表示情報生成出力部６は、制御部５の指示に従って表示情報として地図情報を生成し、生成した地図情報を映像信号に変換して表示器９に出力する。
【００５１】
ステップＳ１３において、触感制御部３は、制御部５の指示に従って、地物ごとに触感制御情報を設定する。
【００５２】
ステップＳ１４において、触感制御部３は、ステップＳ１３にて設定された触感制御情報を触感タッチパネル１０に出力する。触感タッチパネル１０では、触感制御部３から入力された触感制御情報に基づいて、地物ごとに異なる触感が生じた状態となる。
【００５３】
次に、触感制御装置４の具体的な動作例について、図９および図１０を用いて説明する。
【００５４】
図９において、表示器９の表示画面には地図が表示されている。また、触感タッチパネル１０では、地物ごとに触感が異なっている。具体的には、自車位置１２の領域の触感は「ザラザラ」、道路１３の領域の触感は「ザラザラ」、山間部１４の領域の触感は「ザラザラ」、海１５（水系）の領域の触感は、水の動きを模すような「動くザラザラ」、平地１６の領域の触感は「半ザラザラ」、市街地区１７の領域の触感は「つるつる」となっている。このように、地物ごとに触感を異ならせることによって、ユーザは各地物を容易に識別することができる。
【００５５】
なお、市街地区１７は、当該市街地区１７に関する情報を地図ＤＢ１１に記憶されている地図情報に含めておいてもよく、単位面積当たりのＰＯＩ（Point Of Interest）の数が予め定められた数以上である場所を市街地区１７としてもよい。
【００５６】
図９において、ＰＯＩの種別ごとに触感が異なるようにしてもよい。また、ユーザが選択した所望のＰＯＩの触感を、他のＰＯＩの触感とは異なるようにしてもよい。
【００５７】
図９において、行政区画線に触感を与えてもよい。
【００５８】
図１０では、地形によって触感を異ならせる場合の一例を示している。図１０において、表示器９の表示画面には地図が表示されている。また、触感タッチパネル１０では、地物ごとに触感が異なっている。具体的には、自車位置１２の領域の触感は「ザラザラ」、道路１３とその周辺の領域の触感は「つるつる」、車両または歩行者によって到達可能な到達可能領域１９の触感は「つるつる」、少なくとも歩行者によって到達可能な到達可能領域２０の触感は「半ザラザラ」、車両または歩行者によって到達不可能な到達不可能領域１８の触感は「ザラザラ」、海１５の領域の触感は「動くザラザラ」となっている。なお、道路１３とその周辺の領域は、到達可能領域１９に含まれる。すなわち、触感が「つるつる」または「半ザラザラ」の領域は、車両または歩行者によって到達可能な領域を示しており、触感が「ザラザラ」または「動くザラザラ」の領域（自車位置１２は除く）は、車両または歩行者によって到達不可能な領域を示している。このように、地形ごとに触感を異ならせる（すなわち、到達可能な領域と到達不可能な領域とで触感を異ならせる）ことによって、ユーザは地図上における到達可能または到達不可能な領域を容易に把握することができる。
【００５９】
以上のことから、本実施の形態１によれば、地物ごとに触感を異ならせているため、ユーザは操作時に表示画面に視線を集中させることなく地図上の地物を容易に把握することができる。すなわち、ユーザにとって使い勝手の良い操作を行うことができる。
【００６０】
なお、上記で説明した各触感は、他の触感を適宜組み合わせて用いてもよい。また、図９に示す山間部１４は、特許文献３に実現方法が示されているように、物理的に盛り上がった形状であってもよい。
【００６１】
また、実施の形態１では、触感制御装置４を車両に搭載する場合を一例として説明したものであるが、スマートフォンにおいて実施の形態１で説明した上記機能を実現してもよい。例えば、図７において、車両情報取得部８をスマートフォン情報取得部とし、車両情報をスマートフォン情報に読み替えて、スマートフォン内蔵のＧＰＳ情報や加速度センサ情報を入力する構成とすることによって、上記と同様の機能を実現することができる。スマートフォンの場合は、ユーザが歩行しながら操作することが想定されるため、そのようなときに周囲への注意力低下を防止する効果が得られる。
【００６２】
また、実施の形態１では、触感タッチパネル１０を用いる場合について説明したが、図１１に示すように、メータパネル２１に表示器９が設けられ、触感タッチパネル１０の代わりに触感タッチパッド２２を運転者の近辺に設置する（すなわち、表示器９と触感タッチパッド２２とは、別個に異なる箇所に設置されている）メータパネル用の触感制御システムに適用してもよい。図１１の例では、メータパネル２１には、表示器９および速度計２３が設けられている。メータパネル２１に表示器９を設けた場合は、表示器９と触感タッチパッド２２とが離れているため、運転者の操作時の注意力低下を大きく防止する効果が得られる。なお、メータパネル２１に設けられた表示器９は、メータパネル２１の一部の領域または全域を表示器９の表示領域としてもよい。また、触感タッチパッド２２における触感が発生する領域の大きさと、表示器９における表示領域の大きさとは、同じであってもよく、相似関係であってもよく、相似関係でなくてもよい。
【００６３】
＜実施の形態２＞
本発明の実施の形態２では、現在の地図の縮尺で表示されていない地物（地図の縮尺を小さくすると表示されなくなる地物）に対応する領域に触感を与える場合について説明する。本実施の形態２による触感制御装置の構成は、実施の形態１による触感制御装置４（図７参照）と同様であるため、ここでは説明を省略する。
【００６４】
図１２は、本実施の形態２による触感制御装置の動作の一例を示す図である。
【００６５】
図１２において、表示器９の表示画面には、地図上に自車位置１２、道路１３、および川２４が表示されている。なお、道路２５は、図１２に示す縮尺では表示されていないものとする。
【００６６】
触感タッチパネル１０では、川２４の領域の触感は「ザラザラ」となっており、かつ、川２４において道路２５が存在する領域（道路２５が川を渡している領域）の触感は「つるつる」となっている。また、川２４以外の領域の触感は「半ザラザラ」となっている。このように、道路２５が交差している川２４の一部の領域の触感を、川２４の他の領域の触感と異ならせることによって、ユーザは地図で表示されていないが渡ることが可能であることを容易に把握することができる。
【００６７】
なお、図１２では、川２４の一部の領域の触感を「つるつる」とする場合について説明したが、道路２５の一部（川２４を渡る領域）の触感を「つるつる」としてもよい。
【００６８】
図１２では、川２４を渡る道路２５が存在する場合について説明したが、これに限るものではない。例えば、線路を横断する道路が存在する場合であっても上記と同様に触感を制御することができる。
【００６９】
図１３は、本実施の形態２による触感制御装置の動作の他の一例を示す図である。
【００７０】
図１３において、表示器９の表示画面には、地図上に自車位置１２、道路１３、および川２４，２６が表示されている。なお、川２６は川２４の支流であり、図１３の右図のように縮尺を小さくすると表示されないものとする（図１３の右図では、便宜上、破線で示している）。触感タッチパネル１０では、川２４，２６の領域の触感は「動くザラザラ」、川２４，２６以外の領域の触感は「つるつる」となっている。
【００７１】
図１３の左図から右図に縮尺が変更された場合において、川２６は地図上に表示されていないが、川２６の領域の触感は「動くザラザラ」となっている。このように、縮尺を小さくして地図上に表示されない地物があったとしても、その触感を残すことによって、ユーザは地図上における地物の位置を容易に把握することができる。
【００７２】
なお、図１３では、地物の一例として川について説明したが、これに限るものではなく、例えばＰＯＩに適用してもよい。この場合、例えばユーザが所望の施設を探している場合において、当該施設の領域の触感を「ザラザラ」としてもよく、同時に当該施設を示すマークを表示してもよい。
【００７３】
特に、縮尺を広域にした場合は、表示画面内にＰＯＩを表示しようとするとＰＯＩが多過ぎて極めて見づらくなるためＰＯＩを表示しない画面を生成するが、このような場合であっても、ユーザが画面をなぞるだけで所望のＰＯＩの存在を認識することが可能であり、優れたユーザインタフェースを実現することができる。
【００７４】
以上のことから、本実施の形態２によれば、現在の地図の縮尺で表示されていない地物の領域に触感を与えることによって、縮尺を変更した後の地図が見やすくなるとともに、地図上における地物の位置を容易に把握することができる。すなわち、ユーザにとって使い勝手の良い操作を行うことができる。
【００７５】
なお、上記で説明した各触感は、他の触感を適宜組み合わせて用いてもよい。
【００７６】
＜実施の形態３＞
本発明の実施の形態３では、現在位置から目的地までの経路と、当該経路以外の道路との触感が異なる場合について説明する。本実施の形態３による触感制御装置の構成は、実施の形態１による触感制御装置４（図７参照）と同様であるため、ここでは説明を省略する。なお、本実施の形態３による触感制御装置は、ナビゲーション機能を有しているものとする。ナビゲーション機能は、例えば制御部５が有していてもよい。
【００７７】
図１４は、本実施の形態３による触感制御装置の動作の一例を示す図である。
【００７８】
図１４において、表示器９の表示画面には、地図上に自車位置１２、道路１３、および現在位置（自車位置１２）から目的地までの経路２７が表示されている。触感タッチパネル１０では、経路２７の領域の触感は「動くザラザラ」、道路１３の領域の触感は「ザラザラ」となっている。
【００７９】
以上のことから、本実施の形態３によれば、現在位置（自車位置１２）から目的地までの経路２７の領域とその他の道路の領域との触感を異ならせることによって、ユーザは経路を容易に把握することができる。すなわち、ユーザにとって使い勝手の良い操作を行うことができる。
【００８０】
なお、図１４において、経路２７の「動くザラザラ」の移動速度は、車両の速度に応じて変化させてもよい。このようにすることによって、ユーザは車両の速度を触感で把握することができる。
【００８１】
図１４において、ユーザが道路１３および経路２７に触れたときに、当該道路１３の領域および経路２７の領域に触感を与えるようにしてもよい。このようにすることによって、省エネに寄与することができる。
【００８２】
＜実施の形態４＞
本発明の実施の形態４では、外部から取得した情報に基づいて地物の触感を制御する場合について説明する。
【００８３】
図１５は、本実施の形態４による触感制御装置２８の構成の一例を示すブロック図である。
【００８４】
図１５に示すように、触感制御装置２８は、通信部２９を備えている。その他の構成は、実施の形態１（図７参照）と同様であるため、ここでは説明を省略する。
【００８５】
通信部２９は、通信端末（図示せず）と通信可能に接続されており、外部から種々の情報を取得する。
【００８６】
次に、触感制御装置２８の動作について説明する。
【００８７】
一例として、通信部２９が道路状況に関する情報を取得する場合において、触感タッチパネル１０では、例えば各車両が渋滞なく走行している道路の領域の触感を「動くザラザラ」、渋滞が発生している道路の区間の領域の触感を「ザラザラ」、道路工事を行っている道路の領域の触感を「ザラザラ」としてもよい。このようにすることによって、ユーザは道路の交通状況を触感で容易に把握することができる。
【００８８】
上記の「動くザラザラ」の移動速度は、当該道路を走行する他の各車両の平均速度（交通状況）に応じて変化させるようにしてもよい。この場合、通信部２９が他の各車両から速度情報（交通状況に関する情報）を取得する。「動くザラザラ」の移動速度は、法定速度を最大値とし、平均速度が予め定められた閾値を基準として変化させるようにしてもよい。このようにすることによって、ユーザは道路を走行する車両の平均速度を触感で容易に把握することができる。
【００８９】
また、他の一例として、通信部２９が天候情報を取得する場合において、触感タッチパネル１０では、例えば晴れの地域の触感を「つるつる」、雨の地域の触感を「動くザラザラ」、曇りの地域の触感を「半ザラザラ」、雪または凍結している地域の触感を「ザラザラ」としてもよい。なお、上記の触感は、行政区画線で囲まれた地域ごとに付与してもよい。このようにすることによって、ユーザは地域ごとの天気を触感で容易に把握することができる。
【００９０】
また、他の一例として、通信部２９が潮位に関する情報を取得する場合において、触感タッチパネル１０では、水際線の位置の変化に対応して触感の位置が変化する。ここで、潮位に関する情報は、時刻、気圧、および大潮による水際線の位置の情報を含んでいるものとする。このようにすることによって、ユーザは水際線の位置を触感で容易に把握することができる。
【００９１】
また、大雨、水害、または土砂災害による地物の変化を、触感を変えることによって把握することができ、優れたユーザインタフェースを実現することができる。特に、広域の縮尺表示の場合において、ユーザは通行の妨げとなる箇所を、触感タッチパネル１０や触感タッチパッドをなぞるだけで認知することができる。
【００９２】
また、スマートフォンの場合は、交通機関の停止や施設の閉鎖、または歩行で通行できない箇所の認知が容易となる。
【００９３】
以上のことから、本実施の形態４によれば、外部から取得した情報に基づいて地物ごとに触感を異ならせているため、ユーザは操作時に表示画面に視線を集中させることなく地図上の地物を容易に把握することができる。すなわち、ユーザにとって使い勝手の良い操作を行うことができる。
【００９４】
＜実施の形態５＞
本発明の実施の形態５では、ユーザが地図に対してドラッグなどによってスクロール操作を行う場合について説明する。本実施の形態５による触感制御装置の構成は、実施の形態１による触感制御装置４（図７参照）または実施の形態４による触感制御装置２８（図１５参照）と同様であるため、ここでは説明を省略する。
【００９５】
触感制御部３は、スクロール方向の地図に予め定められた地物が存在するとき、ユーザのタッチ位置の触感が変化するように制御する。ここで、予め定められた地物は、ユーザの所望の施設であってもよく、例えばＰＯＩ、高速道路を含む道路、任意の地点などであってもよい。
【００９６】
図１６は、本実施の形態５による触感制御装置の動作の一例を示すフローチャートである。なお、図１６のステップＳ２１〜ステップＳ２４は、図８のステップＳ１１〜ステップＳ１４に対応しているため、ここでは説明を省略する。
【００９７】
ステップＳ２５において、制御部５は、操作情報取得部７を介して、ユーザが触感タッチパネル１０に対してスクロール操作したか否かを判断する。ユーザが触感タッチパネル１０に対してスクロール操作するまで待機し、ユーザが触感タッチパネル１０に対してスクロール操作した場合は、ステップＳ２６に移行する。
【００９８】
ステップＳ２６において、制御部５は、スクロール方向に対象となる地物（予め定められた地物）が存在するか否かを判断する。スクロール方向に対象となる地物が存在する場合は、ステップＳ２７に移行する。一方、スクロール方向に対象となる地物が存在しない場合は、ステップＳ２８に移行する。
【００９９】
ステップＳ２７において、触感制御部３は、制御部５の指示に従って、ユーザのタッチ位置の触感を変更するように制御する。
【０１００】
ステップＳ２８において、制御部５は、スクロール操作に応じた表示画面の遷移を行う。
【０１０１】
次に、本実施の形態５による触感制御装置の具体的な動作例について、図１７〜２４を用いて説明する。なお、図１７〜２４では、図示を省略しているが、地図が表示されているものとする。また、図１７〜２４において、図の中央に示している破線の丸印は、スクロール操作の開始時におけるユーザのタッチ位置を示しており、破線の矢印は、当該矢印の方向にスクロール操作を行うことを示している。スクロール操作の開始時におけるユーザのタッチ位置の触感は「つるつる」であるものとする。
【０１０２】
図１７に示すように、ユーザが画面左下の地図を表示させるべくスクロール操作を行う場合において、スクロール方向（ここでは、画面左下方向）に所望の地物が存在するとき、触感タッチパネル１０におけるユーザのタッチ位置の触感は「ザラザラ」に変化する。
【０１０３】
図１８に示すように、ユーザが画面右下の地図を表示させるべくスクロール操作を行う場合において、スクロール方向（ここでは、画面右下方向）に所望の地物が存在しないとき、触感タッチパネル１０におけるユーザのタッチ位置の触感は「つるつる」のまま変化しない。
【０１０４】
図１９に示すように、ユーザが画面左下の地図を表示させるべくスクロール操作を行う場合において、表示された地図上に所望の地物が存在するとき、触感タッチパネル１０におけるユーザのタッチ位置周辺の触感は「ザラザラ」に変化する。
【０１０５】
図２０に示すように、ユーザが画面左上の地図を表示させるべくスクロール操作を行う場合において、スクロール方向（ここでは、画面左上方向）に所望の地物が存在しないとき、または海などの水系が存在するとき、触感タッチパネル１０におけるユーザのタッチ位置の触感は「動くザラザラ」に変化する。
【０１０６】
図２１〜２４では、触感制御部３は、ユーザの現在のタッチ位置から予め定められた地物（ユーザの所望の地物）までの距離に応じて、ユーザのタッチ位置の触感が異なるように制御する。
【０１０７】
例えば、図２１に示すように、所望の地物が、ユーザのタッチ位置を含むメッシュの隣のメッシュに存在するとき、触感タッチパネル１０におけるユーザのタッチ位置の触感は「動くザラザラ」に変化する。
【０１０８】
図２２に示すように、所望の地物が、ユーザのタッチ位置を含むメッシュから２または３メッシュ離れたメッシュに存在するとき、触感タッチパネル１０におけるユーザのタッチ位置の触感は「ザラザラ」に変化する。
【０１０９】
図２３に示すように、所望の地物が、ユーザのタッチ位置を含むメッシュから５または６メッシュ離れたメッシュに存在するとき、触感タッチパネル１０におけるユーザのタッチ位置の触感は「半ザラザラ」に変化する。
【０１１０】
図２４に示すように、所望の地物が、ユーザのタッチ位置を含むメッシュから６メッシュ以内に存在しないとき、触感タッチパネル１０におけるユーザのタッチ位置の触感は「つるつる」のまま変化しない。
【０１１１】
以上のことから、本実施の形態５によれば、スクロール方向に所望の地物が存在するか否かを触感で容易に把握することができる。すなわち、ユーザにとって使い勝手の良い操作を行うことができる。
【０１１２】
なお、上記で説明した各触感は、他の触感を適宜組み合わせて用いてもよい。
【０１１３】
以上で説明した触感制御装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置あるいはナビゲーション装置以外の装置にも適用することができる。この場合、触感制御装置の各機能あるいは各構成要素は、上記システムを構築する各機能に分散して配置される。
【０１１４】
具体的には、一例として、触感制御装置の機能をサーバに配置することができる。例えば、図２５に示すように、ユーザ側に表示装置３１および触感タッチパネル３２を備え、サーバ３０に少なくとも地図情報取得部２および触感制御部３を備えることによって触感制御システムを構築することができる。なお、地図情報取得部２および触感制御部３の機能は、図１の地図情報取得部２および触感制御部３の機能と同様である。また、サーバ３０は、必要に応じて、図７，１５に示すような各構成要素を備えるようにしてもよい。このとき、サーバ３０に備えられる各構成要素は、適宜にサーバ３０および表示装置３１に分散して配置するようにしてもよい。
【０１１５】
また、他の一例として、触感制御装置の機能をサーバおよび携帯通信端末に配置することができる。例えば、図２６に示すように、ユーザ側に表示装置３１および触感タッチパネル３２を備え、サーバ３３に少なくとも地図情報取得部２を備え、携帯通信端末３４に少なくとも触感制御部３を備えることによって触感制御システムを構築することができる。なお、地図情報取得部２および触感制御部３の機能は、図１の地図情報取得部２および触感制御部３の機能と同様である。また、サーバ３３および携帯通信端末３４は、必要に応じて、図７，１５に示すような各構成要素を備えるようにしてもよい。このとき、サーバ３３および携帯通信端末３４に備えられる各構成要素は、適宜に表示装置３１、サーバ３３、および携帯通信端末３４に分散して配置するようにしてもよい。
【０１１６】
上記の構成とした場合であっても、上記の実施の形態と同様の効果が得られる。
【０１１７】
また、上記の実施の形態における動作を実行するソフトウェア（触感制御方法）を、例えばサーバや携帯通信端末に組み込んでもよい。
【０１１８】
具体的には、一例として、上記の触感制御方法は、タッチパネルまたはタッチパッドの操作面に対する操作時のユーザの触感を制御する触感制御方法であって、（ａ）操作面に対応して表示される地物を含む地図情報を取得する工程と、（ｂ）工程（ａ）にて取得された地図情報に基づいて、地物に対応する操作面の領域が地物に応じた触感となるように操作面の触感を制御する工程とを備える。
【０１１９】
上記より、上記の実施の形態における動作を実行するソフトウェアをサーバや携帯通信端末に組み込んで動作させることによって、上記の実施の形態と同様の効果が得られる。
【０１２０】
なお、図１，７，１５，２５，２６において、地図情報取得部２、触感制御部３、制御部５、表示情報生成出力部６、操作情報取得部７、車両情報取得部８、および通信部２９の各々は、ソフトウェアに基づくＣＰＵ（Central Processing Unit）を用いたプログラム処理を実行することによって実現される。また、可能であれば、地図情報取得部２、触感制御部３、制御部５、表示情報生成出力部６、操作情報取得部７、車両情報取得部８、および通信部２９の各々を、ハードウェア（例えば、電気信号に対して特定の演算あるいは処理を行うように構成された演算／処理回路等）として構成するようにしてもよい。また、上記の両者を混在させてもよい。
【０１２１】
なお、本発明は、その発明の範囲内において、各実施の形態を自由に組み合わせたり、各実施の形態を適宜、変形、省略することが可能である。
【符号の説明】
【０１２２】
１  触感制御装置、２  地図情報取得部、３  触感制御部、４  触感制御装置、５  制御部、６  表示情報生成出力部、７  操作情報取得部、８  車両情報取得部、９  表示器、１０  触感タッチパネル、１１  地図ＤＢ、１２  自車位置、１３  道路、１４  山間部、１５  海、１６  平地、１７  市街地区、１８  到達不可能領域、１９  到達可能領域、２０  到達可能領域、２１  メータパネル、２２  触感タッチパッド、２３  速度計、２４  川、２５  道路、２６  川、２７  経路、２８  触感制御装置、２９  通信部、３０  サーバ、３１  表示装置、３２  触感タッチパネル、３３  サーバ、３４  携帯通信端末。
【図１】
0006498403.tif 000002
【図２】
0006498403.tif 000003
【図３】
0006498403.tif 000004
【図４】
0006498403.tif 000005
【図５】
0006498403.tif 000006
【図６】
0006498403.tif 000007
【図７】
0006498403.tif 000008
【図８】
0006498403.tif 000009
【図９】
0006498403.tif 000010
【図１０】
0006498403.tif 000011
【図１１】
0006498403.tif 000012
【図１２】
0006498403.tif 000013
【図１３】
0006498403.tif 000014
【図１４】
0006498403.tif 000015
【図１５】
0006498403.tif 000016
【図１６】
0006498403.tif 000017
【図１７】
0006498403.tif 000018
【図１８】
0006498403.tif 000019
【図１９】
0006498403.tif 000020
【図２０】
0006498403.tif 000021
【図２１】
0006498403.tif 000022
【図２２】
0006498403.tif 000023
【図２３】
0006498403.tif 000024
【図２４】
0006498403.tif 000025
【図２５】
0006498403.tif 000026
【図２６】
0006498403.tif 000027